【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
波長λ１の光束を出射する第１の光源と、波長λ２（λ１＜λ２）の光束を出射する第２の光源と、波長λ３（λ２＜λ３）の光束を出射する第３の光源と、前記第１、第２および第３の光源からの光束を光情報記録媒体の情報記録面上に集光する対物レンズと、前記第１、第２及び第３の光源から出射される光束の共通光路中で、且つ前記第１、第２および第３の光源と前記対物レンズとの光路中に配置され、光軸方向に移動可能な可動要素とを含む光学系と、を有し、前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行い、前記第３の光源から出射された光束を、前記光学系および前記対物レンズを介して光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで速度を変えて繰り返し伸縮させることで、前記可動部材を移動させるようになっている駆動手段を備え、前記可動部材の移動によって前記可動要素を移動させることを特徴とする光ピックアップ装置。
【請求項２】
前記第３の光源からの光束を用いて光情報記録媒体に対して情報の記録及び／又は再生を行う際の前記可動要素の位置が、前記第１および前記第２の光源からの光束を使用する際よりも、前記電気機械変換素子から離れた側であることを特徴とする請求項１に記載の光ピックアップ装置。
【請求項３】
前記第２の光源と、前記第３の光源とが、共通のヒートシンクに固定されていることを特徴とする請求項１又は２に記載の光ピックアップ装置。
【請求項４】
波長λ１の光束を出射する第１の光源と、波長λ２（λ１＜λ２）の光束を出射する第２の光源と、波長λ３（λ２＜λ３）の光束を出射する第３の光源と、前記第１および第２の光源からの光束を光情報記録媒体の情報記録面上に集光する対物レンズと、前記第１および第２の光源から出射される光束の共通光路中で、且つ前記第１および第２の光源と前記対物レンズとの光路中に配置され、光軸方向に移動可能な可動要素とを含む光学系と、を有し、前記第１の光源から出射された光束を、前記光学系を介して光情報記録媒体の情報記録面に集光させることによって情報の記録及び／又は再生を行い、前記第２の光源から出射された光束を、前記光学系を介して光情報記録媒体の情報記録面に集光させることによって情報の記録及び／又は再生を行い、前記第３の光源から出射された光束を、光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで繰り返し伸縮させることで、前記可動部材を移動させるようになっている駆動手段を備え、前記可動部材の移動によって前記可動要素を移動させることを特徴とする光ピックアップ装置。
【請求項５】
前記第１の波長が、３５０nm≦λ１≦４５０nm、前記第２の波長が、６００nm≦λ２≦７００nm、前記第３の波長が、７５０ｎｍ≦λ３≦８５０ｎｍであることを特徴とする請求項１〜４のいずれかに記載の光ピックアップ装置。
【請求項６】
前記光情報記録媒体からの反射光を受光する受光面を備えた光検出器を備え、前記光検出器は１個のみであることを特徴とする請求項１〜５のいずれかに記載の光ピックアップ装置。
【請求項７】
前記第３の光源からの光束は、前記対物レンズに発散光として入射されることを特徴とする請求項１〜６のいずれかに記載の光ピックアップ装置。
【請求項８】
波長λ１の光束を出射する第１の光源と、波長λ２（λ１＜λ２）の光束を出射する第２の光源と、前記第１および第２の光源からの光束を光情報記録媒体の情報記録面上に集光する対物レンズと、前記第１および第２の光源から出射される光束の共通光路中で、且つ前記第１および第２の光源と前記対物レンズとの光路中に配置され、光軸方向に移動可能な可動要素とを含む光学系と、を有し、前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで速度を変えて繰り返し伸縮させることで、前記可動部材を移動させるようになっている駆動手段を備えたことを特徴とする光ピックアップ装置。
【請求項９】
前記第１の波長が、６００nm≦λ１≦７００nm、前記第２の波長が、７５０ｎｍ≦λ２≦８５０ｎｍであることを特徴とする請求項８に記載の光ピックアップ装置。
【請求項１０】
前記光情報記録媒体からの反射光を受光する受光面を備えた光検出器を備え、前記光検出器は１個のみであることを特徴とする請求項８又は９に記載の光ピックアップ装置。
【請求項１１】
前記第３の光源からの光束は、前記対物レンズに発散光として入射されることを特徴とする請求項８〜１０のいずれかに記載の光ピックアップ装置。
【請求項１２】
前記第１の波長が、３５０ｎｍ≦λ１≦４５０ｎｍ、前記第２の波長が、６００ｎｍ≦λ２≦７００ｎｍであることを特徴とする請求項８に記載の光ピックアップ装置。
【請求項１３】
前記第２の光源からの光束を用いて光情報記録媒体に対して情報の記録及び／又は再生を行う際の前記可動要素の位置が、前記第１の光源からの光束を使用する際よりも、前記電気機械変換素子から離れた側であることを特徴とする請求項４〜１２のいずれかに記載の光ピックアップ装置。
【請求項１４】
異なる光情報記録媒体に対して情報の記録及び／又は再生を行う際に、保護層の厚さが異なることに起因する球面収差を補正するように、前記可動要素を移動して、前記対物レンズに入射する光束の発散度を変更することを特徴とする請求項１〜１３のいずれかに記載の光ピックアップ装置。
【請求項１５】
使用する光源の波長が異なる複数の光情報記録媒体に対してそれぞれ情報の記録及び／又は再生を行う際に、光源の波長が異なることに起因する球面収差を補正するように、前記可動要素を移動して、前記対物レンズに入射する光束の発散度を変更することを特徴とする請求項１〜１４のいずれかに記載の光ピックアップ装置。
【請求項１６】
前記光情報記録媒体からの反射光を利用して球面収差変動を検出する球面収差検出手段を備え、検出結果に基づいて前記球面収差を補正するように前記可動要素を移動して、前記対物レンズに入射する光束の発散度を変更することを特徴とする請求項１〜１５のいずれかに記載の光ピックアップ装置。
【請求項１７】
前記可動要素の位置を検出する位置検出手段を備え、検出結果に基づいて前記可動要素を所定量移動させることを特徴とする請求項１〜１６のいずれかに記載の光ピックアップ装置。
【請求項１８】
前記可動部材は、前記可動要素に光束が入射していないときには、所定の位置に移動し保持されるようになっており、前記所定の位置は、前記可動部材の可動範囲の中間位置から前記電気機械変換素子側であることを特徴とする請求項１〜１７のいずれかに記載の光ピックアップ装置。
【請求項１９】
前記所定の位置は、電気機械変換素子側であり、且つ前記可動部材が前記駆動手段を構成する係止部材に突き当たることにより決まることを特徴とする請求項１８に記載の光ピックアップ装置。
【請求項２０】
前記可動部材は、光情報記録媒体に対して情報の記録及び／又は再生を行う際に、所定の位置で一定に保持されることを特徴とする請求項１〜１７のいずれかに記載の光ピックアップ装置。
【請求項２１】
前記所定の位置は、前記可動部材又は前記可動要素が、前記駆動手段を構成する係止部材に突き当たることにより決まることを特徴とする請求項２０に記載の光ピックアップ装置。
【請求項２２】
前記可動要素の位置を検出する位置検出手段を備え、前記位置検出手段の検出範囲は、前記所定の位置を含まないことを特徴とする請求項２０又は２１に記載の光ピックアップ装置。
【請求項２３】
前記第１の光源と、前記第２の光源とが、共通のヒートシンクに固定されていることを特徴とする請求項１〜２２のいずれかに記載の光ピックアップ装置。
【請求項２４】
前記可動要素は、入射平行光の光束径を拡大するビームエキスパンダーを構成するレンズまたはレンズ群であり、前記レンズまたはレンズ群を移動させることにより、前記ビームエキスパンダーより出射される光束の発散度を変更することを特徴とする請求項１〜２３のいずれかに記載の光ピックアップ装置。
【請求項２５】
前記可動要素は、光源からの発散光束を平行光束に変換するコリメータレンズであり、前記コリメータレンズを移動させることにより、前記コリメータレンズから出射される光束の発散度を変更することを特徴とする請求項１〜２３のいずれかに記載の光ピックアップ装置。
【請求項２６】
前記コリメータレンズは少なくとも２群構成であり、１つのレンズまたはレンズ群を移動させることにより、前記コリメータレンズから出射される光束の発散度を変更することを特徴とする請求項２５に記載の光ピックアップ装置。
【請求項２７】
前記駆動手段を１つだけ備えることを特徴とする請求項１〜２６のいずれかに記載の光ピックアップ装置
【請求項２８】
前記電気機械変換素子は、圧電素子であることを特徴とする請求項１〜２７のいずれかに記載の光ピックアップ装置。
【請求項２９】
波長λ１の光束を出射する第１の光源と、
波長λ２（λ１＜λ２）の光束を出射する第２の光源と、
波長λ３（λ２＜λ３）の光束を出射する第３の光源と、
対物レンズと、
光軸方向に移動可能な可動要素を含む光学系と、
電気機械変換素子を用いて前記可動要素を移動させる駆動手段と、
前記第１の光源からの光束が出射され光情報記録媒体の情報記録面に反射された際にその反射光を受光し、前記第２の光源からの光束が出射され光情報記録媒体の情報記録面に反射された際にその反射光を受光し、前記第３の光源からの光束が出射され光情報記録媒体の情報記録面に反射された際にその反射光を受光する単一の光検出器とを備え、
前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行い、前記第３の光源から出射された光束を、前記光学系および前記対物レンズを介すると共に前記対物レンズには発散光として入射させて光情報記録媒体の情報記録面に集光させることによって情報の記録及び／又は再生を行うようになっていることを特徴とする光ピックアップ装置。
【手続補正２】
【補正対象書類名】明細書
【補正対象項目名】００１２
【補正方法】変更
【補正の内容】
【００１２】
請求項１に記載の光ピックアップ装置は、波長λ１の光束を出射する第１の光源と、波長λ２（λ１＜λ２）の光束を出射する第２の光源と、波長λ３（λ２＜λ３）の光束を出射する第３の光源と、前記第１、第２および第３の光源からの光束を光情報記録媒体の情報記録面上に集光する対物レンズと、前記第１、第２及び第３の光源から出射される光束の共通光路中で、且つ前記第１、第２および第３の光源と前記対物レンズとの光路中に配置され、光軸方向に移動可能な可動要素とを含む光学系と、を有し、前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行い、前記第３の光源から出射された光束を、前記光学系および前記対物レンズを介して光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで速度を変えて繰り返し伸縮させることで、前記可動部材を移動させるようになっている駆動手段を備え、前記可動部材の移動によって前記可動要素を移動させることを特徴とする。
【手続補正３】
【補正対象書類名】明細書
【補正対象項目名】００１３
【補正方法】変更
【補正の内容】
【００１３】
前記駆動手段において、前記電気機械変換素子に対して例えば鋸歯状の波形をしたパルスなどの駆動電圧をごく短時間印加することで、前記電気機械変換素子を微少に伸長または収縮するように変形させることができるが、そのパルスの形状により伸長又は収縮の速度を変えることができる。ここで、前記電気機械変換素子を伸長または収縮方向へ速い速度で変形したとき、前記可動部材は、その質量の慣性により、前記駆動部材の動作に追随せず、そのままの位置に留まる。一方、前記電気機械変換素子がそれよりも遅い速度で反対方向へと変形したとき、前記可動部材は、その間に作用する摩擦力で駆動部材の動作に追随して移動する。したがって、前記電気機械変換素子が伸縮を繰り返すことにより、前記可動部材は一方向へ連続して移動することができる。即ち、高い応答性を有する本発明の駆動手段を用いることで、前記可動部材に連結した可動要素を高速に移動させることもでき、且つ微小量移動させることもできる。更に、前記可動要素を定位置に保持するような場合には、前記電気機械変換素子への電力供給を中断すれば、前記可動要素と前記駆動部材との間に作用する摩擦力によって保持されるので、省エネも図れる。加えて、前記駆動手段の構成は、簡素で小型化が可能で、低コストであるという利点もある。よって、波長が異なる複数の光源を有する光ピックアップ装置において、各光源からの光束をできるだけ共通化し、その共通光路中に前記可動要素を含む収差補正手段を設け、前記可動要素を前記の特性を有する本発明の駆動手段により駆動することによって、高密度ＤＶＤからＤＶＤ、ＣＤ等にわたって複数種類の光情報記録媒体に対して互換性を有しながらも、高精度かつ高速に収差補正が可能であり、又コンパクトで消費電力が低く比較的低コストな光ピックアップ装置を実現できる。尚、収差補正手段の例としては、例えばビームエキスパンダーやコリメータ光学系のレンズを可動要素として光軸方向に移動させることで球面収差補正を行うものが挙げられるが、それに限るものではない。
請求項２に記載の光ピックアップ装置は、請求項１に記載の発明において、前記第３の光源からの光束を用いて光情報記録媒体に対して情報の記録及び／又は再生を行う際の前記可動要素の位置が、前記第１および前記第２の光源からの光束を使用する際よりも、前記電気機械変換素子から離れた側であることを特徴とする。前記駆動手段を駆動中に、製造時の加工、組立て誤差等により、前記駆動軸にわずかに振れなどが生じる場合、最も光軸ズレの影響が少ない前記第３の光源を使用する際は、可動要素を前記電気機械変換素子から離れた位置で用い、光軸ズレの影響が大きい他の光源を使用する際は、振れが小さい電気機械変換素子に近い位置で用いる。よって、いずれの光源を用いた場合にも、適切な情報の記録及び／又は再生を行うことができる。
請求項３に記載の光ピックアップ装置は、請求項１又は２に記載の発明において、前記第２の光源と、前記第３の光源とが、共通のヒートシンクに固定されていることを特徴とするので、例えば同一のパッケージ内に第２の光源としての半導体レーザと、第３の光源としての半導体レーザとを収容した２波長１パッケージＬＤを使用することで、光学系を簡素化することができるため、互換可能に情報の記録及び／又は再生を行える光ピックアップ装置の小型化、低コスト化を図れる。
請求項４に記載の光ピックアップ装置は、波長λ１の光束を出射する第１の光源と、波長λ２（λ１＜λ２）の光束を出射する第２の光源と、波長λ３（λ２＜λ３）の光束を出射する第３の光源と、前記第１および第２の光源からの光束を光情報記録媒体の情報記録面上に集光する対物レンズと、前記第１および第２の光源から出射される光束の共通光路中で、且つ前記第１および第２の光源と前記対物レンズとの光路中に配置され、光軸方向に移動可能な可動要素とを含む光学系と、を有し、前記第１の光源から出射された光束を、前記光学系を介して光情報記録媒体の情報記録面に集光させることによって情報の記録及び／又は再生を行い、前記第２の光源から出射された光束を、前記光学系を介して光情報記録媒体の情報記録面に集光させることによって情報の記録及び／又は再生を行い、前記第３の光源から出射された光束を、光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで繰り返し伸縮させることで、前記可動部材を移動させるようになっている駆動手段を備え、前記可動部材の移動によって前記可動要素を移動させることを特徴とする。
本発明にかかる前記可動要素は、前記第１および第２の光源から出射される光束の共通光路中で、且つ前記光源と前記対物レンズとの光路中に配置されているため、前記第３の光源からの光束が通過する位置に配置しておらず、前記第３の光源からの光束を集光する光学系（例えばＣＤ用）の設計を固有なものとでき、その設計の自由度を高めることができる。一方、前記第１および第２の光源から出射される光束を用いて情報の記録及び／又は再生を行う場合、両光源からの光束をできるだけ共通化し、その共通光路中に前記可動要素を含む収差補正手段を設け、前記可動要素を、請求項１に記載の発明に関連して説明した前記特性を有する本発明の駆動手段により駆動することによって、高密度ＤＶＤからＤＶＤ、ＣＤ等にわたって複数種類の光情報記録媒体に対して互換性を有しながらも、高精度かつ高速に収差補正が可能であり、又コンパクトで消費電力が低く比較的低コストな光ピックアップ装置を実現できる。尚、収差補正手段の例としては、例えばビームエキスパンダーやコリメータ光学系のレンズを可動要素として光軸方向に移動させることで球面収差補正を行うものが挙げられるが、それに限るものではない。
請求項５に記載の光ピックアップ装置は、請求項１〜４のいずれかに記載の発明において、前記第１の波長が、３５０nm≦λ１≦４５０nm、前記第２の波長が、６００nm≦λ２≦７００nm、前記第３の波長が、７５０ｎｍ≦λ３≦８５０ｎｍであることを特徴とするとするので、ＨＤ ＤＶＤ、ＢＤ、ＤＶＤ、ＣＤ等の光情報記録媒体に対して情報の記録及び／又は再生を互換可能に行うことができる。
請求項６に記載の光ピックアップ装置は、請求項１〜５のいずれかに記載の発明において、前記光情報記録媒体からの反射光を受光する受光面を備えた光検出器を備え、前記光検出器は１個のみであることを特徴とする。
請求項７に記載の光ピックアップ装置は、請求項１〜６のいずれかに記載の発明において、前記第３の光源からの光束は、前記対物レンズに発散光として入射されることを特徴とする。
請求項８に記載の光ピックアップ装置は、波長λ１の光束を出射する第１の光源と、波長λ２（λ１＜λ２）の光束を出射する第２の光源と、前記第１および第２の光源からの光束を光情報記録媒体の情報記録面上に集光する対物レンズと、前記第１および第２の光源から出射される光束の共通光路中で、且つ前記第１および第２の光源と前記対物レンズとの光路中に配置され、光軸方向に移動可能な可動要素とを含む光学系と、を有し、前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行うようになっている光ピックアップ装置であって、
電気機械変換素子と、前記電気機械変換素子の一端に固定された駆動部材と、前記可動要素に連結され、且つ前記駆動部材上に移動可能に保持された可動部材と、から構成され、前記電気機械変換素子を、伸び方向と縮み方向とで速度を変えて繰り返し伸縮させることで、前記可動部材を移動させるようになっている駆動手段を備えたことを特徴とする。
本発明にかかる、波長が異なる２つの光源を有する前記光ピックアップ装置において、両光源からの光束をできるだけ共通化し、その共通光路中に前記可動要素を含む収差補正手段を設け、前記可動要素を、請求項１に記載の発明に関連して説明した前記特性を有する本発明の駆動手段により駆動することによって、高密度ＤＶＤからＤＶＤ、ＣＤ等にわたって複数種類の光情報記録媒体に対して互換性を有しながらも、高精度かつ高速に収差補正が可能であり、又コンパクトで消費電力が低く比較的低コストな光ピックアップ装置を実現できる。尚、収差補正手段の例としては、例えばビームエキスパンダーやコリメータ光学系のレンズを可動要素として光軸方向に移動させることで球面収差補正を行うものが挙げられるが、それに限るものではない。
請求項９に記載の光ピックアップ装置は、請求項８に記載の発明において、前記第１の波長が、６００nm≦λ１≦７００nm、前記第２の波長が、７５０ｎｍ≦λ２≦８５０ｎｍであることを特徴とする
請求項１０に記載の光ピックアップ装置は、請求項８又は９に記載の発明において、前記光情報記録媒体からの反射光を受光する受光面を備えた光検出器を備え、前記光検出器は１個のみであることを特徴とする。
請求項１１に記載の光ピックアップ装置は、請求項８〜１０のいずれかに記載の発明において、前記第３の光源からの光束は、前記対物レンズに発散光として入射されることを特徴とする。
請求項１２に記載の光ピックアップ装置は、請求項８に記載の発明において、前記第１の波長が、３５０ｎｍ≦λ１≦４５０ｎｍ、前記第２の波長が、６００ｎｍ≦λ２≦７００ｎｍであることを特徴とする。
請求項１３に記載の光ピックアップ装置は、請求項４〜１２のいずれかに記載の発明において、前記第２の光源からの光束を用いて光情報記録媒体に対して情報の記録及び／又は再生を行う際の前記可動要素の位置が、前記第１の光源からの光束を使用する際よりも、前記電気機械変換素子から離れた側であることを特徴とする。
【手続補正４】
【補正対象書類名】明細書
【補正対象項目名】００１４
【補正方法】変更
【補正の内容】
【００１４】
請求項１４に記載の光ピックアップ装置は、請求項１〜１３のいずれかに記載の発明において、前記光情報記録媒体に対して情報の記録及び／又は再生を行う際に、保護層の厚さが異なることに起因する球面収差を補正するように、前記可動要素を移動して、前記対物レンズに入射する光束の発散度を変更することを特徴とするので、前記駆動手段を用いて前記可動要素を光軸方向に移動させることで、種々の要因による球面収差を適切に補正することができる。ここで、「保護層の厚さが異なる」とは、１つの光情報記録媒体における保護層の厚さのバラツキがあること、１つの光情報記録媒体において複数層に情報記録面を設けており、各情報記録面の保護層の厚さが異なること、及び異なる種類の光情報記録媒体において、保護層の厚さが異なることのいずれをも含む。
【手続補正５】
【補正対象書類名】明細書
【補正対象項目名】００１６
【補正方法】変更
【補正の内容】
【００１６】
請求項１５に記載の光ピックアップ装置は、請求項１〜１４のいずれかに記載の発明において、使用する光源の波長が異なる複数の光情報記録媒体に対してそれぞれ情報の記録及び／又は再生を行う際に、光源の波長が異なることに起因する球面収差を補正するように、前記可動要素を移動して、前記対物レンズに入射する光束の発散度を変更することを特徴とするので、かかる球面収差の補正により、前記光情報記録媒体に対して適切な情報の記録及び／又は再生を行うことができる。
【手続補正６】
【補正対象書類名】明細書
【補正対象項目名】００１７
【補正方法】変更
【補正の内容】
【００１７】
請求項１６に記載の光ピックアップ装置は、請求項１〜１５のいずれかに記載の発明において、前記光情報記録媒体からの反射光を利用して球面収差変動を検出する球面収差検出手段を備え、検出結果に基づいて前記球面収差を補正するように前記可動要素を移動して、前記対物レンズに入射する光束の発散度を変更することを特徴とする。尚、詳細な説明は省略するが、光情報記録媒体からの反射光を利用して球面収差変動を検出する手法としては、特開２００２−３０４７６３号公報に記載された技術を用いることができる。これにより、球面収差補正のフィードバック制御が可能となり、リアルタイムな球面収差の補正が可能となる。
【手続補正７】
【補正対象書類名】明細書
【補正対象項目名】００１８
【補正方法】変更
【補正の内容】
【００１８】
請求項１７に記載の光ピックアップ装置は、請求項１〜１６のいずれかに記載の発明において、前記可動要素の位置を検出する位置検出手段を備え、検出結果に基づいて前記可動要素を所定量移動させることを特徴とするので、前記可動要素を所望の位置に移動できる。
請求項１８に記載の光ピックアップ装置は、請求項１〜１７のいずれかに記載の発明において、前記可動部材は、前記可動要素に光束が入射していないときには、所定の位置に移動し保持されるようになっており、前記所定の位置は、前記可動部材の可動範囲の中間位置から前記電気機械変換素子側であることを特徴とする。ここで、「可動要素に光束が入射していないとき」とは、光ピックアップ装置の電源ＯＦＦ時、一定時間操作がなされないとき（スタンバイ状態）、光路中に可動要素を含まない光源を使用して、記録／再生を行っているときなどを指すものとする。前記駆動部材における前記電気機械変換素子（例えば圧電素子）の反対側端は、駆動方向に振動可能に若干のクリアランスを持って保持されており、即ち片持ちに近い状態であることが多いので、前記可動要素を前記可動部材の可動範囲の中間位置から前記電気機械変換素子側とすれば、大きい質量を前記可動部材の根本側に寄せることで、光ピックアップ装置に衝撃が付与されたような場合にも対処でき、耐衝撃性に優れた構成を提供できる。
請求項１９に記載の光ピックアップ装置は、請求項１８に記載の発明において、前記所定の位置は、電気機械変換素子側であり、且つ前記可動部材が前記駆動手段を構成する係止部材に突き当たることにより決まることを特徴とするので、より耐衝撃性に優れた構成を提供できる。
請求項２０に記載の光ピックアップ装置は、請求項１〜１７のいずれかに記載の発明において、前記可動部材は、光情報記録媒体に対して情報の記録及び／又は再生を行う際に、所定の位置で一定に保持されることを特徴とする。
【手続補正８】
【補正対象書類名】明細書
【補正対象項目名】００１９
【補正方法】変更
【補正の内容】
【００１９】
請求項２１に記載の光ピックアップ装置は、請求項２０に記載の発明において、前記所定の位置は、前記可動部材又は前記可動要素が、前記駆動手段を構成する係止部材に突き当たることにより決まることを特徴とする。
【手続補正９】
【補正対象書類名】明細書
【補正対象項目名】００２１
【補正方法】変更
【補正の内容】
【００２１】
請求項２２に記載の光ピックアップ装置は、請求項２０又は２１に記載の発明において、前記可動要素の位置を検出する位置検出手段を備え、前記位置検出手段の検出範囲は、前記所定の位置を含まないことを特徴とする。例えばより短波長の光源を用いて行う情報の記録及び／又は再生のごとく、高精度な球面収差補正が必要な場合には、前記位置検出手段を設けて前記可動要素の位置検出を行う必要もあり得るが、より長波長の光源を用いて少なくとも再生のみ行う場合には、前記可動要素の位置検出は必ずしも必要ではない。従って、そのような場合には、より短波長の光源を用いて行う情報の記録及び／又は再生時における前記可動要素の可動範囲だけを検出できればよく、それにより前記位置検出手段の小型化、ひいては光ピックアップ装置の小型化がはかれる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
請求項２３に記載の光ピックアップ装置は、請求項１〜２２のいずれかに記載の発明において、前記第１の光源と、前記第２の光源とが、共通のヒートシンクに固定されていることを特徴とするので、例えば同一のパッケージ内に第１の光源としての半導体レーザと、第２の光源としての半導体レーザとを収容した２波長１パッケージＬＤを使用することで、光学系を簡素化することができるため、互換可能に情報の記録及び／又は再生を行える光ピックアップ装置の小型化、低コスト化を図れる。「ヒートシンク」とは、図６に示す２波長１パッケージＬＤにおいて、２つの光束を照射できる発光部ＬＰを、サブマウントＳＭを介してステムＳＴ上で支持する部材ＨＳ等を指すものである。このような２波長１パッケージＬＤの例が、特開２００１−２１５４２５に記載されている。尚、サブマウントＳＭをステムＳＴに直付けする場合には、サブマウントＳＭがヒートシンクとなる。又、ステムＳＴの位置部が隆起しており、そこに発光部ＬＰを直付けする場合には、ステムＳＴがヒートシンクとなる。
【手続補正１２】
【補正対象書類名】明細書
【補正対象項目名】００２４
【補正方法】変更
【補正の内容】
【００２４】
請求項２４に記載の光ピックアップ装置は、請求項１〜２３のいずれかに記載の発明において、前記可動要素は、入射平行光の光束径を拡大するビームエキスパンダーを構成するレンズまたはレンズ群であり、前記レンズまたはレンズ群を移動させることにより、前記ビームエキスパンダーより出射される光束の発散度を変更することを特徴とするので、発散度の変更により球面収差補正を適切に行える。
【手続補正１３】
【補正対象書類名】明細書
【補正対象項目名】００２５
【補正方法】変更
【補正の内容】
【００２５】
請求項２５に記載の光ピックアップ装置は、請求項１〜２３のいずれかに記載の発明において、前記可動要素は、光源からの発散光束を平行光束に変換するコリメータレンズであり、前記コリメータレンズを移動させることにより、前記コリメータレンズから出射される光束の発散度を変更することを特徴とするので、発散度の変更により球面収差補正を適切に行える。
【手続補正１４】
【補正対象書類名】明細書
【補正対象項目名】００２６
【補正方法】変更
【補正の内容】
【００２６】
請求項２６に記載の光ピックアップ装置は、請求項２５に記載の発明において、前記コリメータレンズは少なくとも２群構成であり、１つのレンズまたはレンズ群を移動させることにより、前記コリメータレンズから出射される光束の発散度を変更することを特徴とする。
【手続補正１５】
【補正対象書類名】明細書
【補正対象項目名】００２７
【補正方法】変更
【補正の内容】
【００２７】
請求項２７に記載の光ピックアップ装置は、請求項１〜２６のいずれかに記載の発明において、前記駆動手段を１つだけ備えることを特徴とするが、２つ以上設けても良い。
【手続補正１６】
【補正対象書類名】明細書
【補正対象項目名】００２８
【補正方法】変更
【補正の内容】
【００２８】
請求項２８に記載の光ピックアップ装置は、請求項１〜２７のいずれかに記載の発明において、前記電気機械変換素子は、圧電素子であることを特徴とするが、これ以外の素材であっても良い。
【手続補正１７】
【補正対象書類名】明細書
【補正対象項目名】００２９
【補正方法】変更
【補正の内容】
【００２９】
請求項２９に記載の光ピックアップ装置は、
波長λ１の光束を出射する第１の光源と、
波長λ２（λ１＜λ２）の光束を出射する第２の光源と、
波長λ３（λ２＜λ３）の光束を出射する第３の光源と、
対物レンズと、
光軸方向に移動可能な可動要素を含む光学系と、
電気機械変換素子を用いて前記可動要素を移動させる駆動手段と、
前記第１の光源からの光束が出射され光情報記録媒体の情報記録面に反射された際にその反射光を受光し、前記第２の光源からの光束が出射され光情報記録媒体の情報記録面に反射された際にその反射光を受光し、前記第３の光源からの光束が出射され光情報記録媒体の情報記録面に反射された際にその反射光を受光する単一の光検出器とを備え、
前記第１の光源から出射された光束を、前記光学系および前記対物レンズを介して光情報記録媒体の情報記録面に集光させることによって情報の記録及び／又は再生を行い、前記第２の光源から出射された光束を、前記光学系および前記対物レンズを介して光情報記録媒体の情報記録面に集光させることによって情報の記録及び／又は再生を行い、前記第３の光源から出射された光束を、前記光学系および前記対物レンズを介すると共に前記対物レンズには発散光として入射させて光情報記録媒体の情報記録面に集光させることによって情報の記録及び／又は再生を行うようになっていることを特徴とする。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】